(57)【要約】  媒体検出時間ヒストグラム測定報告等の媒体検出時間ヒストグラム測定結果を記憶して当該結果にアクセスするために管理情報ベース（ＭＩＢ）に含めるための媒体検出時間ヒストグラムテーブル構造が提供される。この目的のために、媒体検出時間ヒストグラム報告テーブル中に所定数のエントリが設けられ得る。無線装置が媒体検出時間ヒストグラム報告テーブル内にエントリを入力し且つ当該エントリにアクセスできるようにする装置及び方法が提供される。これらの方法及び装置は、ＩＥＥＥ  ８０２．１１ｋ規格での使用及び媒体の測定を必要とする任意のＷＬＡＮでの使用を対象としている。
2007522691.tif 000002
【特許請求の範囲】
【請求項１】
複数の無線ネットワーク装置により少なくとも一つの媒体検出時間ヒストグラム測定報告を記憶するとともに前記少なくとも一つの媒体検出時間ヒストグラム測定報告にアクセスするための方法であって、
前記複数の装置において、
−少なくとも一つの媒体検出時間ヒストグラム測定報告を記憶するとともに前記少なくとも一つの媒体検出時間ヒストグラム測定報告にアクセスするための少なくとも一つのエントリを有するテーブルを準備するステップと、
−前記少なくとも一つの媒体検出時間ヒストグラム測定報告を得る取得ステップと、
−得られた前記少なくとも一つの媒体検出時間ヒストグラム測定報告を、前記少なくとも一つのエントリとして、前記準備したテーブル内に記憶する記憶ステップと、
−前記媒体検出時間ヒストグラム測定のソースを特定するステップと、
を含むことを特徴とする方法。
【請求項２】
前記取得ステップは、
前記複数の装置のうちの他の装置から前記媒体検出時間ヒストグラム測定報告を受け取る受信ステップ、
前記装置によって前記媒体検出時間ヒストグラム測定報告を生成する生成ステップ、
の少なくとも一方を更に含んでいることを特徴とする請求項１に記載の方法。
【請求項３】
前記受信ステップは、前記複数の装置のうちの他の装置からの前記媒体検出時間ヒストグラム測定報告を要求する第１の要求ステップを更に含んでいることを特徴とする請求項２に記載の方法。
【請求項４】
前記生成ステップは、
所定のタイプの媒体事象の発生のカウントを含む少なくとも一つのビンを前記媒体検出時間ヒストグラム測定報告に含めるステップであって、前記各ビンが所定の時間間隔に対応しているステップと、
少なくとも一つの前記所定の時間間隔に亘って媒体を検出する第１の検出ステップと、
前記検出ステップを行っている間、少なくとも一つの所定のタイプの媒体検出事象の発生数をカウントするステップと、
前記所定のタイプ及び前記所定の時間間隔に対応する前記媒体検出時間ヒストグラム測定の少なくとも一つのビンに前記カウントを入力するステップと、
を更に含んでいることを特徴とする請求項２に記載の方法。
【請求項５】
前記検出ステップは、前記所定のタイプに関し、所定の周波数チャンネルの所定の周波数チャンネル帯域において、前記検出ステップを行うことを更に含んでいることを特徴とする請求項４に記載の方法。
【請求項６】
前記記憶ステップは、所定の時間依存規則に従って前記少なくとも一つのエントリを消去するステップを更に含んでいることを特徴とする請求項５に記載の方法。
【請求項７】
前記記憶ステップは、前記少なくとも一つの測定を、前記準備したテーブル内に先入れ先出し順序で記憶するステップを更に含んでいることを特徴とする請求項６に記載の方法。
【請求項８】
前記準備したテーブルは、前記複数の無線ネットワーク装置のそれぞれに設けられた管理情報ベーステーブル中に含まれる媒体検出時間ヒストグラム報告テーブルであり、
前記複数の装置のうちの前記各装置がＩＥＥＥ  ８０２．１１無線ネットワーク装置であることを特徴とする請求項７に記載の方法。
【請求項９】
前記少なくとも一つのビンのそれぞれは、一連のビン内における当該ビンの位置のビンインデックスを更に備えていることを特徴とする請求項８に記載の方法。
【請求項１０】
前記記憶ステップは、所定の時間依存規則に従って前記少なくとも一つのエントリを消去するステップを更に含んでいることを特徴とする請求項１に記載の方法。
【請求項１１】
前記記憶ステップは、前記少なくとも一つの測定を、前記準備したテーブル内に先入れ先出し順序で記憶するステップを更に含んでいることを特徴とする請求項１０に記載の方法。
【請求項１２】
前記準備したテーブルは、前記複数の無線ネットワーク装置のそれぞれに設けられた管理情報ベーステーブル中に含まれる媒体検出時間ヒストグラム報告テーブルであり、
前記複数の装置のうちの前記各装置がＩＥＥＥ  ８０２．１１無線ネットワーク装置であることを特徴とする請求項１に記載の方法。
【請求項１３】
無線ネットワーク装置により媒体検出時間ヒストグラム報告を記憶するとともに前記媒体検出時間ヒストグラム報告にアクセスするための装置であって、
媒体検出された入力及び媒体検出時間ヒストグラム測定報告のうちの少なくとも一方を受信する受信器と、
媒体検出時間ヒストグラム測定要求を送信する送信器と、
少なくとも一つの媒体検出時間ヒストグラム測定報告を記憶するための少なくとも一つのエントリを有するテーブルを含むメモリと、
前記受信器に結合されるとともに、少なくとも一つの媒体検出された入力及び受信された前記媒体検出時間ヒストグラム測定報告から、少なくとも一つの媒体検出時間ヒストグラム報告エントリを生成するプロセッサと、
前記プロセッサに結合され、媒体検出時間ヒストグラム報告エントリを受け取って配信するとともに、前記メモリの前記テーブル内の前記少なくとも一つのエントリとしてその記憶をそれぞれ管理し、前記メモリの前記テーブル内の前記少なくとも一つのエントリとして当該記憶にアクセスする時間ヒストグラム管理モジュールと、
を備えていることを特徴とする装置。
【請求項１４】
前記時間ヒストグラム管理モジュールが所定の時間依存規則に従って前記少なくとも一つのエントリを消去することを前記プロセッサが命令できるように前記プロセッサに対して結合されたタイマを更に備え、前記時間ヒストグラム管理モジュールは、前記プロセッサの制御下で前記少なくとも一つのエントリを消去するように更に構成されていることを特徴とする請求項１３に記載の装置。
【請求項１５】
前記時間ヒストグラム管理モジュールは、前記少なくとも一つのエントリを前記メモリの前記テーブル内に先入れ先出し順序で記憶するように更に構成されていることを特徴とする請求項１４に記載の装置。
【請求項１６】
前記テーブルは、管理情報ベーステーブル中に含まれる媒体検出時間ヒストグラム報告テーブルであり、
前記無線ネットワーク装置は、ＩＥＥＥ  ８０２．１１無線ネットワーク装置であることを特徴とする請求項１５に記載の装置。
【請求項１７】
前記受信器は、媒体検出時間ヒストグラム測定報告の要求を受け取るように更に構成されており、
前記送信器は、受け取った媒体検出時間ヒストグラム測定要求に応じて、媒体検出時間ヒストグラム測定報告を送信するように更に構成されていることを特徴とする請求項１３に記載の装置。
【請求項１８】
前記時間ヒストグラム管理モジュールは、所定の規則に従って前記少なくとも一つのエントリを消去するように更に構成されていることを特徴とする請求項１７に記載の装置。
【請求項１９】
前記時間ヒストグラム管理モジュールは、前記少なくとも一つのエントリを前記メモリの前記テーブル内に先入れ先出し順序で記憶するように更に構成されていることを特徴とする請求項１８に記載の装置。
【請求項２０】
前記少なくとも一つのエントリは、所定のタイプの媒体事象の発生のカウントを含む少なくとも一つのビンを有するビンテーブルを更に備え、前記少なくとも一つのビンが所定の時間間隔に対応していることを特徴とする請求項１９に記載の装置。
【請求項２１】
前記少なくとも一つのビンのそれぞれは、一連のビン内における当該ビンの位置のビンインデックスを更に備えていることを特徴とする請求項２０に記載の装置。
【請求項２２】
前記テーブルは、管理情報ベーステーブル中に含まれる媒体検出時間ヒストグラム報告テーブルであり、
前記無線ネットワーク装置は、ＩＥＥＥ  ８０２．１１無線ネットワーク装置であることを特徴とする請求項２１に記載の装置。
【発明の詳細な説明】
【技術分野】
【０００１】
本発明は、無線ローカルエリアネットワーク（ＷＬＡＮ）に関する。詳細には、本発明は、媒体検出時間ヒストグラム報告を使用して無線リソースを評価することによるＷＬＡＮの無線装置管理に関する。特に、本発明は、無線装置の管理情報ベース（ＭＩＢ）テーブルを使用することにより、受信され且つ局所的に生成された媒体検出時間ヒストグラム報告の履歴を記憶するための装置及び方法に関する。本発明の方法及び装置は、ＩＥＥＥ  ８０２．１１ｋ規格での使用及び媒体の測定を必要とする任意のＷＬＡＮでの使用を対象としている。
【背景技術】
【０００２】
ＷＬＡＮが一般的に動作する今日の無線環境は、十分に規制されていない希少資源である。ＷＬＡＮ局（ＳＴＡ）等の無線装置は、無線環境を測定（評価）してこれにアクセスするとともに、対応する動作をとることができなければならない。無線局（ＳＴＡ）等の無線装置は、媒体を検出することができるとともに、それ自体の媒体の検出又は測定に関して報告するように他の無線装置（他のＳＴＡ）に対して要求することができる。要求され得る測定の一つのタイプは、媒体検出時間ヒストグラムである。媒体検出時間ヒストグラム要求に対応する測定要求フィールド１００のフォーマットが図１に示されている。フィールドは、以下のように表される。
【０００３】
ａ．チャンネル番号１０１は、測定要求が求めるチャンネル番号を示している。
【０００４】
ｂ．チャンネル帯域１０２は、チャンネル番号が適用されるテーブル１から選択される周波数帯域を示している。
テーブル１−無線測定要求のためのチャンネル帯域１０２定義
名称          チャンネル帯域
２．４ＧＨｚ帯域          ０
５  ＧＨｚ帯域          １
予備            ２−２５５
【０００５】
ｃ．測定持続時間１０３は、要求された測定の持続時間と等しく設定することができ、タイマユニット（ＴＵ）で表すことができる。
【０００６】
ｄ．媒体検出測定サブタイプ１０４は、行われる媒体検出測定のサブタイプを示している。媒体検出測定の利用可能なサブタイプがテーブル２に規定されている。
テーブル２−媒体検出測定サブタイプ１０４定義
媒体検出測定サブタイプ    媒体検出測定時間ヒストグラム名
０                  ＲＰＩ時間ヒストグラム
１              ＣＣＡアイドル時間ヒストグラム
２              ＣＣＡビジー時間ヒストグラム
３              ＮＡＶビジー時間ヒストグラム
４−２５５                      予備
【０００７】
ｅ．ＲＰＩ閾値１０５は、アンテナコネクタにおいて見られるように、テーブル４に従って、受け取った電力レベル閾値を特定する。ＲＰＩ閾値は、ＲＰＩ時間ヒストグラムのための情報を集める間、媒体検出事象が生じるかどうかを決定するために使用される。
【０００８】
ｆ．ビンオフセット１０６は、第１のビンの位置を示しており、マイクロ秒で表される。
【０００９】
ｇ．ビン間隔１０７は、媒体検出事象がこのビン内にあるとみなされている間の時間間隔を示しており、スロット時間で表される。媒体検出事象がテーブル３に規定されている。
【００１０】
ｈ．ビン数１０８は、時間ヒストグラムによってカバーされる時間間隔の総数を示している。
【００１１】
無線装置、例えばＳＴＡは、測定報告要素を使用して測定を報告する。媒体検出時間ヒストグラム報告の測定報告フィールド２００のフォーマットが図２に示されている。サブフィールドは以下のように規定される。
【００１２】
ａ．チャンネル番号２０１は、媒体検出時間ヒストグラム報告が適用されるチャンネル番号を示している。
【００１３】
ｂ．チャンネル帯域２０２は、チャンネル番号が適用される測定された周波数帯域であって、テーブル２から選択される周波数帯域を示している。
【００１４】
ｃ．測定持続時間２０３は、媒体検出時間ヒストグラム報告が測定されていた間の持続時間と等しく設定され、ＴＵで表される。
【００１５】
ｄ．媒体検出測定サブタイプ２０４は、テーブル３に規定されるように、媒体検出時間ヒストグラム報告のサブタイプを示している。
テーブル３−媒体検出測定サブタイプ定義
媒体検出測定サブタイプ            媒体検出測定名
０                ＲＰＩ時間ヒストグラム
１              ＣＣＡアイドル時間ヒストグラム
２              ＣＣＡビジー時間ヒストグラム
３              ＮＡＶビジー時間ヒストグラム
４−２５５                      予備
【００１６】
ｅ．ＲＰＩ閾値２０５は、アンテナコネクタにおいて見られるように、テーブル４に従って、受け取った電力レベル閾値を特定する。ＲＰＩ閾値は、ＲＰＩ時間ヒストグラムのための情報を集める間、媒体検出事象が生じるかどうかを決定するために使用される。
テーブル４−ＲＰＩ時間ヒストグラムのためのＲＰＩ閾値定義
ＲＰＩ    アンテナで観測される電力（ｄＢｍ）
０              −８７
１              −８２
２              −７７
３              −７２
４              −６７
５              −６２
６              −５７
７−２５５            予備
媒体検出時間ヒストグラム報告は、ｎ個のビンのそれぞれにおいて、測定持続時間に亘って特定のチャンネルで測定されたｎ個の時間間隔のそれぞれにおける密度を含んでいる。
【００１７】
ｆ．ビンオフセット２０６は、第１のビンの位置を示しており、マイクロ秒で表される。
【００１８】
ｇ．ビン間隔２０７は、媒体検出事象がこのビン内にあるとみなされている間の時間間隔を示しており、スロット時間で表される。媒体検出事象がテーブル５に規定されている。
【００１９】
ｈ．ビン数２０８は、時間ヒストグラムによってカバーされる時間間隔の総数を示している。
【００２０】
ｉ．媒体検出事象２０９の総数は、測定中にいくつの事象が数えられたかを示している。
テーブル５−媒体検出事象の定義
媒体検出測定  媒体検出測定名                ビンｉにおける媒体検出事象
サブタイプ
０      ＲＰＩ時間ヒストグラム          ＲＰＩは、区間
（ｉ０＋［ｉ＊Δｉ．．．（ｉ＋１）＊Δｉ］）
内で、閾値よりも高い値からＲＰＩ閾値
よりも低い値へと変化する。
１      ＣＣＡアイドル時間ヒストグラム  ＣＣＡ状態は、区間
（ｉ０＋［ｉ＊Δｉ．．．（ｉ＋１）＊Δｉ］）
内で、アイドル状態からビジー状態へと
変化する。
２      ＣＣＡビジー時間ヒストグラム    ＣＣＡ状態は、区間
（ｉ０＋［ｉ＊Δｉ．．．（ｉ＋１）＊Δｉ］）
内で、ビジー状態からアイドル状態へと
変化する。
３      ＮＡＶビジー時間ヒストグラム    検出された区間
（ｉ０＋［ｉ＊Δｉ．．．（ｉ＋１）＊Δｉ］）
内のＮＡＶ持続時間
４−２５５  予備                            予備
【００２１】
ｊ．ビンｉ密度２１ｉ（０＜ｉ＜ｎ、例えば、２１０，２１１，２１２，２１３，．．．，）は、監視された状態の連続的な持続時間を監視し且つビンｉに対応するカウントｂｉをインクリメントするＳＴＡによって計算され、また、測定中に以下に規定される時間ｔで媒体検出事象が生じる場合には、
任意のｉ＜ｎ−１に関して、ｉ０＋（ｉ＊Δｉ）  ＜  ｔ  ≦  ｉ０＋（（ｉ＋１）＊Δｉ）
ｉ＝ｎ−１に関して、ｉ０＋（ｉ＊Δｉ）  ≦  ｔ
であり、その後、ビンｉごとの事象の数が１だけインクリメントされる。媒体検出測定中には、媒体検出事象の時間的な確率分布を表すヒストグラムが生成される。
【発明の開示】
【発明が解決しようとする課題】
【００２２】
将来の無線環境特性を予測する能力は過去の特性に基づいており、そのため、無線装置によって局所的に生成され且つ当該無線装置によって受け取られるそのような報告の履歴が存在していなければならない。現在、媒体検出時間ヒストグラム報告の履歴を形成する方法はない。
【００２３】
ＩＥＥＥ  ８０２．１１規格は、図１及び図２のフォーマットを含む要求手段及び報告手段を定めているが、現在、これらの測定の履歴を、一つ又は複数の測定報告を受け取る測定ＳＴＡ又は所定のＳＴＡにより経時的に保持するための機構を何ら提供していない。しかしながら、ＩＥＥＥ  ８０２．１ｋは、これらの報告を一つのＳＴＡによりそのＭＩＢテーブル中に記憶する実施の形態を意図している。従って、本発明は、これらの報告及び局所的に得られた測定を一つのＳＴＡによりそのＭＩＢテーブル中に記憶するための機構であって、そのＳＭＥの制御下においてその既存の処理論理内で実施できる機構を提供する。
【００２４】
従って、経時的に得られた媒体検出時間ヒストグラム測定報告の履歴を取得して保持するための方法が必要である。
【課題を解決するための手段】
【００２５】
本発明は、無線装置が媒体検出時間ヒストグラム報告の履歴を取得できるようにする装置及び方法に関する。本発明は、局所的に生成されて受信された媒体検出時間ヒストグラム報告を一連のエントリとしてＳＴＡのＭＩＢテーブル内に経時的に記憶するためのフォーマットを規定する。
【００２６】
本発明の他の態様は、局所的に生成された媒体検出結果及び受信された媒体検出時間ヒストグラム報告を取得するとともに、これらを少なくとも一つのエントリとして無線装置のＭＩＢテーブル内に記憶する装置を提供するものであり、上記無線装置のＭＩＢテーブルフォーマットが本発明に従って改良されている。上記装置はトランシーバを有しており、このトランシーバは、測定管理モジュールに結合されるとともに、局所的に生成された媒体検出報告及び他の無線装置によって生成されたヒストグラム報告を受け取り、また、これらの報告を少なくとも一つのエントリとして無線装置の改良されたＭＩＢテーブル内に局所的に記憶する。
【００２７】
本発明の前述した特徴及び利点、並びに、他の特徴及び利点は、添付図面に示される好適な実施の形態についての以下の更に詳細な説明から明らかである。図面中、参照符号は、様々な図の全体に亘って同じ部分を示している。
【００２８】
当業者であれば分かるように、以下の説明は、例示的な目的で与えられており、限定を目的とするものではない。熟練者であれば分かるように、本発明の思想内及び添付の請求項の範囲内に入る多くの変形例が存在する。本発明が曖昧とならないように、既知の機能及び動作の不必要な内容については、この説明から省略する場合がある。
【発明を実施するための最良の形態】
【００２９】
図３は、本発明の実施の形態が適用される典型的なネットワーク環境を示している。図３に示されるように、一つの無線装置３０１が無線リンクを介して複数の無線装置３０１と通信しており、上記無線リンクにおいて、これらの無線装置は、複数の無線チャンネルを介して相互に通信させられる。本発明の重要な原理は、局所的に検出され且つ他の無線装置から受け取られた一連の少なくとも一つの媒体検出時間ヒストグラム報告のうちの少なくとも一つからなるシーケンスを、媒体検出時間ヒストグラム報告テーブルにおける少なくとも一つのエントリとして記憶するための機構、即ち、ＭＩＢテーブルを提供する。上記媒体検出時間ヒストグラム報告テーブルは、一つのＭＩＢテーブルに記憶可能なテーブルの一つのタイプとして本発明により規定される。
【００３０】
図４を参照すると、図３のＷＬＡＮ内の無線装置３０１は、図４のブロック図に示されるアーキテクチャを有するシステムを含んでいてもよい。各無線装置３０１は、受信器４０１と、プロセッサ４０２と、時間ヒストグラム管理モジュール４０５と、ＭＩＢテーブル４０４を有するメモリ４０３と、タイマ４０６と、送信器４０７とを有していてもよい。図４の典型的なシステム４００は、単に便宜的なものである。本説明では、特定の無線装置を説明する際に一般に使用される用語を参照している場合があるが、本説明及び概念は、図３に示されるアーキテクチャとは異なるアーキテクチャを有するシステムを含む他の処理システムにも同様に適用される。
【００３１】
動作時、受信器４０１及び送信器４０７は、一つのアンテナ（図示せず）に対して結合されて、時間ヒストグラム報告及びそのための要求を送受信するとともに、時間ヒストグラム報告の局所的な生成のための媒体を検出する。プロセッサ４０２は、メモリ４０３内に記憶されたＭＩＢテーブル４０４の媒体検出時間ヒストグラム報告テーブルでの各媒体検出時間ヒストグラム報告エントリの記憶及び検索において、時間ヒストグラム管理モジュール４０５を制御する。また、時間ヒストグラム管理モジュールは、媒体検出時間ヒストグラム報告テーブルを先入れ先出し（ｆｉｒｓｔ−ｉｎ−ｆｉｒｓｔ−ｏｕｔ：ＦＩＦＯ）データテーブルとして維持してエントリの流通を維持するためにも使用される。更に、好適な実施の形態において、無線装置の局管理エンティティ（ＳＭＥ）によって受け取られた媒体検出時間ヒストグラム報告エントリは、所定の最小値のために、媒体検出時間ヒストグラム報告テーブル中に維持される。ＩＥＥＥ  ８０２．１１ｋ規格に準拠している実施において、この最小保持時間は、ＭＩＢ内に書き込まれた後におけるドット１１測定報告エージング時間である。報告が書き込まれてからこの所定量の時間が経過した後、ＳＭＥによって報告エントリを消去して、メモリ空間を解放することができる。タイマ４０６は、一つのエントリが期限切れになる時期を決定するために使用されるとともに、エントリをＭＩＢテーブル内に記憶する時間を設定するために使用される。
【００３２】
図５は、本発明に係るＭＩＢテーブル中に含まれる媒体検出時間ヒストグラムテーブル内の媒体検出時間ヒストグラム報告エントリを示している。本発明に係る媒体検出時間ヒストグラム報告テーブルのソフトウェア実施の一例が付録１（ＡＰＰＥＮＤＩＸ  Ｉ）に含まれている。本発明に係る媒体検出時間ヒストグラム報告テーブル中の各エントリは、図２に示される媒体検出時間ヒストグラム報告のフィールドの総てと、更なるフィールド、即ち、インデックス５０１、Ｒｑｔｓトークン５０２、Ｉｆインデックス５０３、ＳＴＡＡｄｄｒ５０４とを含んでおり、また、ビン密度２１０乃至２１（ｎ−１）は、ｉ＝０，．．．，ｎ−１に関してビンｉインデックス５０６ｉによりインデックスが付されるビンテーブル５０５内に記憶される。所定数の媒体検出時間ヒストグラム報告エントリをＭＩＢテーブル内に記憶することができる。この所定数は１０である。
【００３３】
無線装置、例えばＳＴＡは、測定報告要素を使用して測定を報告する。各媒体検出時間ヒストグラム報告エントリの測定報告フィールドのフォーマットが図５に示されている。サブフィールドは、以下のように規定される。
【００３４】
ａ．テーブル内の各エントリには、インデックスが付される。
【００３５】
ｂ．要求トークンは、このエントリに対応する測定報告を要求した測定要求において特定された要求トークンを保持するとともに、当初の要求トークン属性と正確に一致している。
【００３６】
ｃ．インタフェースインデックスは、このエントリに対応する報告を受け取ったインタフェースインデックスである。
【００３７】
ｄ．ＳＴＡアドレスは、このエントリに対応する報告において報告された測定を行った測定ＳＴＡのＭＡＣアドレスである。
【００３８】
ｅ．チャンネル番号は、媒体検出時間ヒストグラム報告が適用されるチャンネル番号を示している。
【００３９】
ｆ．チャンネル帯域は、チャンネル番号が適用される測定された周波数帯域であって、テーブル２から選択される周波数帯域を示している。
【００４０】
ｇ．測定持続時間は、媒体検出時間ヒストグラム報告が測定されていた間の持続時間と等しく設定され、ＴＵで表される。
【００４１】
ｈ．媒体検出測定サブタイプは、テーブル６に規定されるように、媒体検出時間ヒストグラム報告のサブタイプを示している。
テーブル６−媒体検出測定サブタイプ定義
媒体検出測定サブタイプ          媒体検出測定名
０                ＲＰＩ時間ヒストグラム
１            ＣＣＡアイドル時間ヒストグラム
２            ＣＣＡビジー時間ヒストグラム
３            ＮＡＶビジー時間ヒストグラム
４−２５５                    予備
【００４２】
ｉ．ＲＰＩ閾値は、アンテナコネクタにおいて見られるように、テーブル７に従って、受け取った電力レベル閾値を特定する。ＲＰＩ閾値は、ＲＰＩ時間ヒストグラムのための情報を集める間、媒体検出事象が生じるかどうかを決定するために使用される。
テーブル７−時間ヒストグラムのためのＲＰＩ閾値定義
ＲＰＩ    アンテナで観測される電力
０              −８７
１              −８２
２              −７７
３              −７２
４              −６７
５              −６２
６              −５７
７−２５５            予備
【００４３】
ｊ．媒体検出時間ヒストグラム報告は、測定持続時間に亘って特定のチャンネルで測定されたｎ個の時間間隔のそれぞれにおいて密度を含んでいる。
【００４４】
ｋ．媒体検出事象２０９の総数は、測定中にいくつの事象が数えられたかを示している。媒体検出事象は、テーブル８に規定されている。
【００４５】
ｌ．ビンテーブルは、ビンｉインデックスを含むｎ対及び対応するビンｉ密度を記憶することにより、インデックスが付されたビンｉ密度を記憶する。ビンｉ密度（０＜ｉ＜ｎ）を計算するため、測定ＳＴＡは、監視された状態の連続的な持続時間を監視するとともに、ビンｉに対応するカウントＢｉをインクリメントする。測定中に以下に規定される時間ｔで媒体検出事象が生じる場合には、
任意のｉ＜ｎ−１に関して、ｉ０＋（ｉ＊Δｉ）  ＜  ｔ  ≦ｉ０＋（（ｉ＋１）＊Δｉ）
ｉ＝ｎ−１に関して、ｉ０＋（ｉ＊Δｉ）  ≦  ｔ
であり、その後、ビンｉごとの事象の数が１だけインクリメントされる。媒体検出測定中には、媒体検出事象の時間的な確率分布を表すヒストグラムが生成される。
テーブル８−媒体検出事象の定義
媒体検出測定  媒体検出測定名                ビンｉにおける媒体検出事象
サブタイプ
０      ＲＰＩ時間ヒストグラム          ＲＰＩは、区間
（ｉ０＋［ｉ＊Δｉ．．．．．（ｉ＋１）＊Δｉ］）
内で、閾値よりも高い値からＲＰＩ閾値
よりも低い値へと変化する。
１      ＣＣＡアイドル時間ヒストグラム  ＣＣＡ状態は、区間
（ｉ０＋［ｉ＊Δｉ．．．．．（ｉ＋１）＊Δｉ］）
内で、アイドル状態からビジー状態へと
変化する。
２      ＣＣＡビジー時間ヒストグラム    ＣＣＡ状態は、区間
（ｉ０＋［ｉ＊Δｉ．．．．．（ｉ＋１）＊Δｉ］）
内で、ビジー状態からアイドル状態へと
変化する。
３      ＮＡＶビジー時間ヒストグラム    検出された区間
（ｉ０＋［ｉ＊Δｉ．．．．．（ｉ＋１）＊Δｉ］）
内のＮＡＶ持続時間
４−２５５  予備                            予備
【００４６】
図６は、無線装置３０１によって行われる動作ステップのフローチャート６００を示している。ここで、無線装置３０１は、媒体検出時間ヒストグラム測定要求を受け取り６０１、媒体を検出してローカル（局所的な）媒体検出時間ヒストグラム報告を生成し６０２、報告ＦＩＦＯを媒体検出時間ヒストグラム報告エントリとしてローカルＭＩＢ内に記憶する一方でＭＩＢ内の期限切れエントリを消去し（必要な場合）６０３、その中に装置のアドレスが含まれている報告を媒体を介して送信する６０４。
【００４７】
図７は、無線装置３０１によって行われる動作ステップのフローチャート７００を示している。ここで、無線装置３０１は、媒体検出時間ヒストグラム測定報告を要求し７０１、媒体を検出し且つその中にローカル装置のアドレスを含むローカル媒体検出時間ヒストグラム報告を生成し７０２、その中に測定装置のアドレスが含まれている報告を媒体を通じて受け取り７０３、報告ＦＩＦＯを媒体検出時間ヒストグラム報告エントリとしてローカルＭＩＢ内に記憶する一方でＭＩＢ内の期限切れエントリを消去する（必要な場合）７０４。
【００４８】
本発明の好適な実施の形態について例示して説明してきたが、当業者であれば分かるように、本発明の真の範囲から逸脱することなく、様々な変更や改良を行うことができるとともに、等価物がその要素に取って代わることができる。また、本発明の中心範囲から逸脱することなく、特定の状況及び本発明の教示内容に適合するように多くの改良を行うことができる。従って、本発明は、本発明を実行するために考慮される最良の形態として開示された特定の実施の形態に限定されるものではなく、添付の請求項の範囲内に入る総ての実施の形態を含むものである。
【００４９】
APPENDIX I
（付録１）
EXAMPLE IMPLEMENTATION OF MEDIUM SENSING TIME HISTOGRAM REPORT TABLE
（媒体検出時間ヒストグラム報告テーブルの実施例）
--
*****************************************************************************
-- * dot11MedSenseTimeHistogramReportTable
--
*****************************************************************************
dot11RRMMedSenseTimeHistogramReportMaxTableSize OBJECT-TYPE
SYNTAX           Unsigned32 (0..65535)
MAX-ACCESS  read-only
STATUS             current
DESCRIPTION
"Identifies the number of measurement reports 
that can be entered into 
MedSenseTimeHistogramReportTable."
（媒体検出時間ヒストグラム報告テーブルに入力可能な測定報告の数を特定する。）
: : = { dot11RRMReport <<#>> }
dot11MedSenseTimeHistogramReportTable  OBJECT -TYPE
SYNTAX SEQUENCE OF dot11MedSensTimeHistogramReportEntry
MAX-ACCESS  not -accessible
STATUS current
DESCRIPTION
"Group contains the current list of Medium Sensing Time 
Histogram report entries that have been received by the 
SME. The report tables shall be maintained as FIFO to 
preserve freshness, thus this attribute can be overridden 
by memory constraints or other implementation constraints 
determined by the vendor of this SME."
（グループは、ＳＭＥによって受け取られた媒体検出時間ヒストグラム報告エントリの現在のリストを含んでいる。報告テーブルは、新鮮さを保つためにＦＩＦＯとして維持されなければならず、従って、この属性は、メモリ制約によって又はこのＳＭＥのベンダによって決定される他の実施制約によってオーバーライドできる。）
: : = { dot11smt <<#>> }
dot11MedSenseTimeHistogramReportEntry  OBJECT -TYPE
SYNTAX dot11MedSenseTimeHistogramReportEntry
MAX-ACCESS  not -accessible
STATUS current
DESCRIPTION
“An entry in the dot11MedSenseTimeHistogramReportTable 
indexed by dot11MedSenseTimeHistogramReportIndex.”
（ドット１１媒体検出時間ヒストグラム報告インデックスが付されたドット１１媒体検出時間ヒストグラム報告テーブル中の一つのエントリ）
INDEX  { dot11MedSenseTimeHistogramReportIndex }
: : = { dot11MedSenseTimeHistogramReportTable 1 }
Dot11MedSenseTimeHistogramReportEntry : : =
SEQUENCE  {
dot11MedSenseTimeHistogramReportIndex
Unsigned32,
dot11MedSenseTimeHistogramReport RqstToken
OCTET STRING,
do11MedsenseTimeHistogramReportIfIndex
InterfaceIndex,
dot11MedSenseTimeHistogramMeasuringSTAAddr
MacAddress,
dot11MedSenseTimeHistogramReportChanNumber
INTEGER,
dotllMedSenseTimeHistogramReportChanBand
INTEGER,
dot11MedSenseTimeHistogramReportActual StartTime
TSFType,
dot11MedSenseTimeHistogramReport Measurement Duration
Unsigned32,
dot11MedSenseTimeHistogramReportSubtype
INTEGER,
dot11MedSenseTimeHistogramReportRPIThreshold
INTEGER,
dot11MedSenseTimeHistogramReportBinOffs et
INTEGER,
dot11MedSenseTimeHistogramReportBinInterval
INTEGER,
dot11MedSenseTimeHistogramReportNumBin
INTEGER,
dot11MedSenseTimeHistogramReportNumEvent
INTEGER,
dotl1MedSenseTimeHistogramReportBinTable
SEQUENCE OF dot11MedSenseTimeHistogramReportBinEntry
}
dot11MedSenseTimeHistogramReportIndex  OBJECT -TYPE
SYNTAX Unsigned32
MAX-ACCESS  read-only
STATUS current
DESCRIPTION
“Index for Medium Sensing Time Histogram Report table 
entries in dot11MedSenseTimeHistogramReportTable, greater 
than 0.”
（０よりも大きい、ドット１１媒体検出時間ヒストグラム報告テーブルの媒体検出時間ヒストグラム報告テーブルエントリのためのインデックス）
: : = { dot11MedSenseTimeHistogramReportEntry 1 }
dot11MedSenseTimeHistogramReport RqstToken  OBJECT -TYPE
SYNTAX OctetString
MAX-ACCESS read-create
STATUS current
DESCRIPTION
“This attribute holds the request token that was 
specified in the measurement request that generated 
this measurement report. This should be an exact match to the 
original dot11RRMRqstToken attribute.”
（この属性は、この測定報告を生成した測定要求で特定された要求トークンを保持する。これは、当初のドット１１ＲＲＭＲｑｗｔＴｏｋｅｎ属性と正確に一致していなければならない。）
DEFVAL {  “”}
: : = { dot11MedSenseTimeHistogramReportEntry 2 }
dot11MedSenseTimeHistogramReportIfIndex  OBJECT -TYPE
SYNTAX InterfaceIndex
MAX-ACCESS read-only
STATUS current
DESCRIPTION
“The InterfaceIndex for this row of Medium Sensing Time 
Histogram report has been received on.”
（媒体検出時間ヒストグラム報告のこの列におけるインタフェースインデックスが受け取られている。）
: : = { dot11MedSenseTimeHistogramReportEntry 3 }
dot11MedSenseTimeHistogram MeasuringSTAAddr OBJECT -TYPE
SYNTAX MacAddress
MAX -ACCESS read-only
STATUS current
DESCRIPTION
“The MAC address of the measuring STA for this row of 
Medium Sensing Time Histogram report.”
（媒体検出時間ヒストグラム報告のこの列における測定ＳＴＡのＭＡＣアドレス）
: : = { dot11MedSenseTimeHistogramReportEntry 4 }
dot11MedSenseTimeHistogramReportChanNumber OBJECT -TYPE
SYNTAX INTEGER
MAX-ACCESS read-only
STATUS current
DESCRIPTION
“The channel number on which this row of report has been 
detected.”
（報告のこの列が検出したチャンネル番号）
: : = { dot11MedSenseTimeHistogramReportEntry 5 }
dot11MedSenseTimeHistogramReportChanBand OBJECT -TYPE
SYNTAX INTEGER (0..1)
MAX-ACCESS read-only
STATUS current
DESCRIPTION
“Channel Band indicates the frequency band, taken from 
Table 0-2, TGk Spec, in which this row of beacon report 
has been conducted.
0: 2.4 GHz
1: 5 GHz
Other values are reserved.”
（チャンネル帯域は、ビーコン報告のこの列が行われたテーブル０−２、ＴＧＫ仕様から選択された周波数帯域を示している。
０：２．４ＧＨｚ
１：５ＧＨｚ
他の値は、予備とされる。）
: : = { dot11MedSenseTimeHistogramReportEntry 6 }
dot11MedSenseTimeHistogramReport Actual StartTime OBJECT -TYPE
SYNTAX TSFType
MAX-ACCESS read-only
STATUS current
DESCRIPTION
“This attribute corresponds to the TSF value at the time 
when the measurement started.”
（この属性は、測定が開始されたときのＴＳＦ値に対応している。）
: : = { dot11MedSenseTimeHistogramReportEntry 7 }
dot11MedSenseTimeHistogramReportMeasurementDuration OBJECT -TYPE
SYNTAX Unsigned32
MAX-ACCESS read-only
STATUS current
DESCRIPTION
“This attribute corresponds to the duration over which 
the Medium Sensing Time Historgram Report was measured, 
expressed in TUs.”
（この属性は、媒体検出時間ヒストグラム報告が測定されていた持続時間に対応しており、ＴＵで表される。）
: : = { dot11MedSenseTimeHistogramReportEntry 8 }
dot11MedSenseTimeHistogramReportSubtype OBJECT -TYPE
SYNTAX INTEGER (0..3)
MAX-ACCESS read-only
STATUS current
DESCRIPTION
“This attribute corresponds to the Measurement SubType 
for this row of MedSenseTimeHistogramReport. SubType is 
defined as:
0: RPI Time Histogram
1: CCA Idle Time Histogram
2: CCA Busy Time Histogram
3: NAV Busy Time Histogram
other values are reserved.”
（この属性は、媒体検出時間ヒストグラム報告のこの列における測定サブタイプに対応している。サブタイプは以下のように規定される。
０：ＲＰＩ時間ヒストグラム
１：ＣＡＡアイドル時間ヒストグラム
２：ＣＣＡビジー時間ヒストグラム
３：ＮＡＶビジー時間ヒストグラム
他の値は、予備とされる。）
: : = { dot11MedSenseTimeHistogramReportEntry 9 }
dot11MedSenseTimeHistogramReportRPIThreshold OBJECT -TYPE
SYNTAX INTEGER (0..7)
MAX-ACCESS read-only
STATUS current
DESCRIPTION
“This attribute indicates the RPI threshold that was used 
for generating this row of MedSenseTimeHistogramReport.
0: -87dBm observed at antenna
1: -82dBm observed at antenna
2: -77dBm observed at antenna
3: -72dBm observed at antenna
4: -67dBm observed at antenna
5: -62dBm observed at antenna
6: -57dBm observed at antenna
other values are reserved.”
（この属性は、媒体検出時間ヒストグラム報告のこの列を生成するために使用されたＲＰＩ閾値を示している。
０：アンテナで観測された−８７ｄＢｍ
１：アンテナで観測された−８２ｄＢｍ
２：アンテナで観測された−７７ｄＢｍ
３：アンテナで観測された−７２ｄＢｍ
４：アンテナで観測された−６７ｄＢｍ
５：アンテナで観測された−６２ｄＢｍ
６：アンテナで観測された−５７ｄＢｍ
他の値は、予備とされる。）
: : = { dot11MedSenseTimeHistogramReportEntry 10 }
dot11MedSenseTimeHistogramReportBinOffset OBJECT -TYPE
SYNTAX INTEGER
MAX-ACCESS read-only
STATUS current
DESCRIPTION
“This attribute indicates the bin offset in microseconds.”
（この属性は、マイクロ秒で表されるビンオフセットを示している。）
: : = { dot11MedSenseTimeHistogramReportEntry 11 }
dot11MedSenseTimeHistogramReportBinInterval OBJECT -TYPE
SYNTAX INTEGER
MAX-ACCESS read-only
STATUS current
DESCRIPTION
“This attribute indicates the bin interval duration 
in multiples of aSlotTime.”
（この属性は、複数のスロット時間で表されるビン間隔持続時間を示している。）
: : = { dot11MedSenseTimeHistogramReportEntry 12 }
dot11MedSenseTimeHistogramReportNumBin OBJECT -TYPE
SYNTAX INTEGER
MAX-ACCESS read-only
STATUS current
DESCRIPTION
“This attribute indicates the number of bins.”
（この属性は、ビンの数を示している）
: : = { dot11MedSenseTimeHistogramReportEntry 13 }
dot11MedSenseTimeHistogramReportNumEvent OBJECT -TYPE
SYNTAX INTEGER
MAX-ACCESS read-only
STATUS current
DESCRIPTION
“This attribute indicates the number of medium sensing 
events. The purpose of this value is to allow the 
calculation of absolute times, as well as providing a 
confidence indicator.”
（この属性は、媒体検出事象の数を示している。この値の目的は、絶対時間の計算を可能にすること、及び、信頼インジケータを与えることである。）
: : = { dot11MedSenseTimeHistogramReportEntry 14 }
dot11MedSenseTimeHistogramReportBinTable OBJECT -TYPE
SYNTAX SEQUENCE OF dot11MedSenseTimeHistogramReportBinEntry
MAX-ACCESS not-accessible
STATUS current
DESCRIPTION
“Group contains the list of bin entries that are part of 
this time histogram.”
（グループは、この時間ヒストグラムの一部であるビンエントリのリストを含んでいる。）
: : = { dot11MedSenseTimeHistogramReportEntry 15 }
dot11MedSenseTimeHistogramReportBinEntry OBJECT -TYPE
SYNTAX dot11MedSenseTimeHistogramReportBinEntry
MAX-ACCESS not-accessible
STATUS current
DESCRIPTION
“An entry in the 
dot11MedSenseTimeHistogramReportBinTable 
indexed by dot11MedSenseTimeHistogramReport BinIndex.”
（ドット１１媒体検出時間ヒストグラム報告ビンインデックスが付されたドット１１媒体検出時間ヒストグラム報告ビンテーブルのエントリ）
INDEX  { dot11MedSenseTimeHistogramReportBinIndex }
: : = { dot11MedSenseTimeHistogramReportBinTable 1 }
Dot11MedSenseTimeHistogramReportBinEntry : : =
SEQUENCE  {
dot11MedSenseTimeHistogramReportBinIndex      Unsigned32,
dot11MedSenseTimeHistogramReportBinDensity     INTEGER
}
dot11MedSenseTimeHistogramReportBinIndex OBJECT -TYPE
SYNTAX Unsigned32
MAX-ACCESS read-only
STATUS current
DESCRIPTION
“Index for Medium Sensing Time Histogram Report Bin 
Table entries in 
dot11MedSenseTimeHistogramReportBinTable, greater than 
0.”
（０よりも大きい、ドット１１媒体検出時間ヒストグラム報告ビンテーブルの媒体検出時間ヒストグラム報告ビンテーブルエントリのためのインデックス）
: : = { dot11MedSenseTimeHistogramReportBinEntry 1 }
dot11MedSenseTimeHistogramReportBinDensity OBJECT -TYPE
SYNTAX INTEGER (0..255)
MAX-ACCESS read-only
STATUS current
DESCRIPTION
“ This attribute indicates the probability of medium 
sensing events during the bin interval.”
（この属性は、ビン間隔中における媒体検出事象の可能性を示している。）
: : = { dot11MedSenseTimeHistogramReportBinEntry 2 }
【図面の簡単な説明】
【００５０】
【図１】媒体検出時間ヒストグラム要求フォーマットを示している。
【図２】本発明の実施の一形態に係る媒体検出時間ヒストグラム報告のフォーマットを示している。
【図３】本発明の実施の形態が適用される無線通信システムのアーキテクチャを示す簡略化されたブロック図である。
【図４】本発明の実施の一形態に従って媒体検出時間ヒストグラム報告を他のネットワーク装置から局所的に取得し且つ当該報告を要求すること、及び、それを局所的に記憶することのうちの少なくとも一方を実行するように改良された図３の通信システムの無線装置の簡略化されたブロック図を示している。
【図５】本発明の実施の一形態に係る媒体検出時間ヒストグラム報告テーブルのためのＭＩＢテーブルエントリのフォーマットを示している。
【図６】媒体検出時間ヒストグラム報告の要求を受け取り、媒体を検出して媒体検出時間ヒストグラム報告を生成するとともに、それを一つのエントリとしてＭＩＢテーブルの媒体検出ヒストグラム報告テーブル内に記憶し、最終的に、それを媒体を介して送信する動作ステップを示すフローチャートである。
【図７】媒体を介して媒体検出時間ヒストグラム報告を要求して受信し、媒体を局所的に検出して局所的な媒体検出時間ヒストグラム報告を生成するとともに、生成されて受信された報告を一つのエントリとしてＭＩＢテーブルの媒体検出ヒストグラム報告テーブル内に記憶する動作ステップを示すフローチャートである。
【図１】
2007522691.tif 000003
【図２】
2007522691.tif 000004
【図３】
2007522691.tif 000005
【図４】
2007522691.tif 000006
【図５】
2007522691.tif 000007
【図６】
2007522691.tif 000008
【図７】
2007522691.tif 000009
【国際調査報告】
2007522691.tif 000010
2007522691.tif 000011
2007522691.tif 000012